(57)【要約】【課題】  加熱板の熱供給面の中央部に熱が供給されても、熱供給面と反対側の挟持面に温度ムラが生じ難いヘアーアイロンを提供する。【解決手段】  一対の挟持体１の対向する面に毛髪を挟持して加熱する加熱板２を設け、前記加熱板２の毛髪を挟持する挟持面２１ａと反対側の熱供給面２２ａの中央部に熱を供給するためのヒータ３を設けたヘアーアイロンにおいて、加熱板２を、挟持面２１ａを有する挟持板部２１と熱供給面２２ａを有する熱供給板部２２とを熱伝導を妨げるための空隙２０を介して離間すると共に、挟持板部２１と熱供給板部２２の面内の中央部を避けた端部近傍に該両板部を熱的に接続する架橋部２３を設けて形成した。【選択図】図１
2008054982.tif 000002
【特許請求の範囲】
【請求項１】
一対の挟持体の対向する面に毛髪を挟持して加熱する加熱板を設け、前記加熱板の毛髪を挟持する挟持面と反対側の熱供給面の中央部に熱を供給するためのヒータを設けたヘアーアイロンにおいて、加熱板を、挟持面を有する挟持板部と熱供給面を有する熱供給板部とを熱伝導を妨げるための空隙を介して離間すると共に、挟持板部と熱供給板部の面内の中央部を避けた端部近傍に該両板部を熱的に接続する架橋部を設けて形成することを特徴とするヘアーアイロン。
【請求項２】
架橋部間の空隙に挟持板部および熱供給板部よりも熱伝導率の低い熱伝導体を設けて成ることを特徴とする請求項１記載のヘアーアイロン。
【請求項３】
架橋部間の空隙に挟持板部と熱供給板部とを熱的に接続する熱伝導部を設けて成ることを特徴とする請求項１記載のヘアーアイロン。
【発明の詳細な説明】
【技術分野】
【０００１】
本発明は、例えばくせ毛をストレートにするためのヘアーアイロンに関するものである。
【背景技術】
【０００２】
従来から、くせ毛をストレートにする等、毛髪にくせをつけるためのヘアーアイロンが用いられている（例えば特許文献１参照）。この従来のヘアーアイロンは、一対の挟持体の対向する面に毛髪を挟持して加熱する加熱板を設け、この加熱板の毛髪を挟持する挟持面と反対側の熱供給面にヒータからの熱を供給するようにしたものである。ヒータには、ＰＴＣヒータ（Positive Temperature Coefficientヒータ）がよく用いられており、これにより連続的な自己温度制御が可能となる。
【０００３】
この場合、使用開始時に加熱板を所定の使用温度にまで加温するのに約４分という長時間を要するため、高出力のヒータを使用して立ち上がり時間を短縮するものが考えられた。これは、ヒータに高出力のコイルヒータ（電熱ヒータ）を使用することで、加熱板を速く所定の使用温度にまで加温して立ち上がり時間を短縮するものである。ヒータは、加熱板に対称に熱が伝導するように加熱板の熱供給面の中央部に熱的に接続され、加熱板の温度を所定の温度範囲内に維持するためＯＮ・ＯＦＦ制御を行うものである。
【０００４】
しかしながら、この従来のヘアーアイロンにあっては、ヒータにより加熱板の熱供給面の中央部に熱が供給されるため、加熱板の前記熱供給面と反対側の挟持面の温度は、中央部が集中的に加温されて高温となり、温度ムラが生じてしまうものであった。
【特許文献１】特開２００４−４１７５９号公報
【発明の開示】
【発明が解決しようとする課題】
【０００５】
本発明は上記の従来の問題点に鑑みて為したものであって、その目的とするところは、加熱板の熱供給面の中央部に熱が供給されても、熱供給面と反対側の挟持面に温度ムラが生じ難いヘアーアイロンを提供することを課題とするものである。
【課題を解決するための手段】
【０００６】
上記課題を解決するために本発明の請求項１に係るヘアーアイロンは、一対の挟持体１の対向する面に毛髪を挟持して加熱する加熱板２を設け、前記加熱板２の毛髪を挟持する挟持面２１ａと反対側の熱供給面２２ａの中央部に熱を供給するためのヒータ３を設けたヘアーアイロンにおいて、加熱板２を、挟持面２１ａを有する挟持板部２１と熱供給面２２ａを有する熱供給板部２２とを熱伝導を妨げるための空隙２０を介して離間すると共に、挟持板部２１と熱供給板部２２の面内の中央部を避けた端部近傍に該両板部を熱的に接続する架橋部２３を設けて形成することを特徴とするものである。
【０００７】
このような構成とすることで、ヒータ３により加熱板２の熱供給面２２ａの中央部に熱が供給されても、熱供給面２２ａと反対側の挟持面２１ａの中央部が集中的に加温されることがなくて、挟持面２１ａに温度ムラが生じ難くなるものである。
【０００８】
また、請求項２に係るヘアーアイロンは、請求項１において、架橋部２３間の空隙２０に挟持板部２１および熱供給板部２２よりも熱伝導率の低い熱伝導体２４を設けて成ることを特徴とするものである。
【０００９】
このような構成とすることで、より一層挟持面２１ａに温度ムラが生じ難くなるものである。
【００１０】
また、請求項３に係るヘアーアイロンは、請求項１において、架橋部２３間の空隙２０に挟持板部２１と熱供給板部２２とを熱的に接続する熱伝導部２５を設けて成ることを特徴とするものである。
【００１１】
このような構成とすることで、より一層挟持面２１ａに温度ムラが生じ難くなるものである。
【発明の効果】
【００１２】
本発明は、挟持板部２１と熱供給板部２２とを空隙２０を介して離間すると共に、挟持板部２１と熱供給板部２２の面内の中央部を避けた端部近傍に該両板部を熱的に接続する架橋部２３を設けて加熱板２を形成したことで、ヒータ３により熱供給板部２２の熱供給面２２ａの中央部に熱が供給されても、挟持板部２１の挟持面２１ａの中央部が集中的に加温されることがなくて、挟持面２１ａに温度ムラが生じ難くなり、挟持面２１ａに挟持される毛髪に対する加熱ムラがなく、毛髪の伸びのムラをなくすことができる。
【発明を実施するための最良の形態】
【００１３】
以下、本発明を添付図面に示す実施形態に基いて説明する。
【００１４】
本実施形態のヘアーアイロンは、図２、図３に示すように、長手方向の一端部に使用者の手に把持される把持部７１を有し、長手方向の他端部に使用者の毛髪を挟持して加熱することで整髪するための整髪部７２を有している。ヘアーアイロンの主体をなすハウジングは、上記整髪部７２でヘアーアイロンの長手方向と直交する方向に毛髪を挟持できるよう、把持部７１側の端部に設けたヒンジ部７３で枢支されて整髪部７２が接離自在に回動する一対の挟持体１（本体挟持体１ａ及び押え挟持体１ｂ）で構成され、枢支部に設けてある開閉バネ７４にて挟持体１の開閉が補助される。本体挟持体１ａ及び押え挟持体１ｂの互いに対向する面には、平板状の加熱板２を設けてあり、この加熱板２の互いに対向する面を、毛髪を挟持して加熱する挟持面２１ａとしてある。加熱板２については後で詳述する。挟持体１の内部には、加熱板２に熱を供給するためのヒータ３が収容される。
【００１５】
また本実施形態のヘアーアイロンは、図３に示すように本体挟持体１ａに静電霧化装置を備えており、ナノメータサイズの帯電微粒子水を吐出することができる。静電霧化装置については詳述はしないが、先端に供給される水に電圧を印加するための針状の放電電極と、放電電極に対向する対向電極とを備え、放電電極と対向電極との間に高電圧を印加することで、放電電極に供給された水を静電霧化して帯電微粒子水を生成するもので、図３中の８１は静電霧化ユニット８１を、８２は貯水タンク８２を、８０は帯電微粒子水の吐出口８０を示す。
【００１６】
本体挟持体１ａには、静電霧化装置やヒータ３を制御する制御回路４が内部に収容されており、リード線（図示せず）を介してヒータ３及び静電霧化装置と接続されており、操作スイッチ７５の切り替えにより、静電霧化装置による帯電微粒子水の吐出及びヒータ３による加熱板２の加熱・ヒータ３による加熱板２の加熱・切、等の制御を切り替える。
【００１７】
以下、本発明の加熱板２について説明する。
【００１８】
加熱板２は、各挟持体１の対向面に設けられる金属製のもので、挟持面２１ａに垂直な方向から見て略矩形状をしており、その長辺は挟持体１の長手方向に沿って配置される。本発明においては、図１に示すように、加熱板２は挟持板部２１及び熱供給板部２２の二枚の板状部材で主体が構成される。挟持板部２１と熱供給板部２２は、本実施形態では長辺の長さは略同じに形成してあるが、短辺の長さは熱供給板部２２の方を短く形成してある。挟持板部２１は、もう一方の挟持体１を向く面が挟持面２１ａとなって露出しており、前記挟持面２１ａと反対側に、熱伝導を妨げるための空隙２０を介して熱供給板部２２が面と垂直な方向から見て重なるように離間して配置される。熱供給板部２２の挟持板部２１を向く面と反対側の面が熱が供給される熱供給面２２ａとなっている。
【００１９】
そして、挟持板部２１と熱供給板部２２とは、これらの板部の面内の中央部を避けた端部近傍において、架橋部２３により一体に接続されている。なお本実施形態においては、架橋部２３は熱供給板部２２から更に延長されると共に先端が屈曲されて、ヒータ３を保持するようになっている。熱供給板部２２の熱供給面２２ａの中央部（本実施形態では短手方向の中央部）には、ヒータ３が熱的に接続される。ヒータ３は、本発明においてはコイルヒータ３（電熱ヒータ３）であり、ＰＣＴヒータ３よりも高出力となっている。図４、図５にそれぞれ本体挟持体１ａ側のヒータ３、押え挟持体１ｂ側のヒータ３を示す。上記加熱板２及びヒータ３は、その長辺方向（長手方向）においては異なる位置でも同じ断面形状に形成してあるが、短辺方向（短手方向）において位置による差異があるもので、図に長手方向から見た断面図を示す。
【００２０】
このような加熱板２及びヒータ３は、各挟持体１に設けられるもので、挟持体１の対向する面に挟持面２１ａが面するように加熱板２が挟持体１のハウジングに取付けられ、ヒータ３は加熱板２の裏側に保持されると共に、挟持体１のハウジングに設けた板状のヒータ３押えバネによって加熱板２に押圧されて位置決め固定される。また、ヒータ３のヒューズ５が挟持体１に設けたヒューズ固定板７７に取り付けてある。
【００２１】
また更に、本体挟持体１ａの加熱板２の温度を計測する本体側加熱板温度センサー６１が本体挟持体１ａに設けた温度センサー固定板７８に取り付けてあり、温度計測が可能となっている。
【００２２】
本ヘアーアイロンの動作（静電霧化装置の動作を除く）について説明する。操作スイッチ７５を操作してヒータ３の電源を入れると、ヒータ３により加熱板２が加熱される。加熱板２が所定の使用温度に達すると、ヒータ３をＯＦＦとし、以後、温度範囲の下限、上限に達する度にヒータ３のＯＮ・ＯＦＦを繰り返して加熱板２を所定の温度範囲内に維持する。もし、ヒータ３やセンサー、制御回路４の破損、故障等の異常が発生した場合には、過電流が流れても即座にヒューズ５によりヒータ３への通電が遮断され、安全が確保される。
【００２３】
ヒータ３が発熱すると、熱はまず加熱板２の熱供給面２２ａより熱供給板部２２に供給され、架橋部２３を経由して挟持板部２１に伝導するが、架橋部２３は挟持板部２１の面内の中央部を避けた端部近傍（本実施形態では短手方向の両端部近傍）に設けてあるため、この部分から挟持板部２１に伝導した熱は更に端部へ伝導すると共に中央部に伝導し、本願のような空隙２０を有しない加熱板２の熱供給面２２ａの中央部に熱を供給した場合のように、挟持面２１ａの中央部が集中的に加温されてしまう、といったことがなく、挟持面２１ａの温度ムラを生じ難くすることができる。これにより、挟持体１の加熱板２の挟持面２１ａに挟持される毛髪に対する加熱ムラがなく、毛髪の伸びのムラをなくすことができる。
【００２４】
次に、他の実施形態について図６に基づいて説明する。なお、図１に示す上実施形態と同じ部分については同符号を付して説明を省略し、主に異なる部分について説明する。本実施形態においては、上実施形態の空隙２０に、挟持板部２１および熱供給板部２２よりも熱伝導率の低い熱伝導体２４を設けたものである。
【００２５】
上実施形態においては、挟持板部２１の中央部が集中的に加温されることはなく、逆に端部近傍の方が加熱され気味となり得るため、中央部へも熱を供給するため熱伝導体２４を設けたものである。熱伝導体２４の熱伝導率が挟持板部２１、熱供給板部２２、架橋部２３と同じであれば、従来の加熱板２と同様となって中央部が集中的に加温されるが、熱伝導率を低くすることで、中央部が集中的に加温されることなく適度に加温することが可能となり、より一層温度ムラを生じ難くすることができる。
【００２６】
次に、更に実施形態について図７に基づいて説明する。なお、図１に示す上実施形態と同じ部分については同符号を付して説明を省略し、主に異なる部分について説明する。本実施形態においては、上実施形態の空隙２０に、挟持板部２１と熱供給板部２２とを熱的に接続する熱伝導部２５を設けたものである。
【００２７】
図１に示す実施形態においては、挟持板部２１の中央部が集中的に加温されることはなく、逆に端部近傍の方が加熱され気味となり得るため、中央部へも熱を供給するため熱伝導部２５を設けたものである。これにより、中央部が集中的に加温されることなく適度に加温することが可能となり、より一層温度ムラを生じ難くすることができる。
【００２８】
また更に別の実施形態として、図８に示すように、本体挟持体１ａだけでなく押え挟持体１ｂにも、加熱板２の温度を計測する押え側加熱板温度センサー６２を押え挟持体１ｂに設けた温度センサー固定板７９に取り付けて設けると共に、両挟持体１ａ、１ｂにそれぞれ制御回路４を設け、各挟持体１ａ、１ｂ毎に独立して制御を行うようにするものである。この場合、片方の挟持体１が強制冷却されたりしてヒータ３の出力を上げても、もう一方のヒータ３も連動して出力が上がることがなく、安全性に問題がない。両ヒータ３は電源に対して並列に接続される。
【００２９】
また、両温度センサー６１及び６２を本体挟持体１ａの制御回路４のみで制御する場合、両温度センサー６１及び６２にて計測したうち高い方の温度に基づいて制御することで、所定の温度範囲を超えることがない。
【図面の簡単な説明】
【００３０】
【図１】本発明の一実施形態のヒータを取り付けた加熱板の長手方向から見た断面図である。
【図２】同上のヘアーアイロンの斜視図である。
【図３】同上のヘアーアイロンの側断面図である。
【図４】同上のヘアーアイロンの本体挟持体のヒータを示し、（ａ）は平面図であり、（ｂ）は短手方向から見た側断面図であり、（ｃ）は長手方向から見た側断面図であり、（ｄ）は下面図である。
【図５】同上のヘアーアイロンの押え挟持体のヒータを示し、（ａ）は下面図であり、（ｂ）は短手方向から見た側断面図であり、（ｃ）は長手方向から見た側断面図であり、（ｄ）は平面図である。
【図６】本発明の他の実施形態のヒータを取り付けた加熱板の長手方向から見た断面図である。
【図７】本発明の更に他の実施形態のヒータを取り付けた加熱板の長手方向から見た断面図である。
【図８】本発明の更に他の実施形態のヘアーアイロンの側断面図である。
【符号の説明】
【００３１】
１    挟持体
２    加熱板
２０  空隙
２１  挟持板部
２１ａ  挟持面
２２  熱供給板部
２２ａ  熱供給面
２３  架橋部
３    ヒータ
【図１】
2008054982.tif 000003
【図２】
2008054982.tif 000004
【図３】
2008054982.tif 000005
【図４】
2008054982.tif 000006
【図５】
2008054982.tif 000007
【図６】
2008054982.tif 000008
【図７】
2008054982.tif 000009
【図８】
2008054982.tif 000010